(57)【特許請求の範囲】
【請求項１】
容器体口頸部に装着させた、トリガー式ないし縦形ポンプ式の液体噴出器の下面から、該液体噴出器が有するシリンダと連通させて容器体内へ垂下する液体吸上げ筒２の下端部へ、第１連結筒５上部を、該第１連結筒下部内へ第２連結筒上部を、更に該第２連結筒14下部へ吸上げパイプ23上部を、それぞれ嵌合させて容器体内へ垂下させ、
第１連結筒５は、筒部６の下部を外向きフランジを介して大径筒部７とすると共に、外向きフランジ上方の筒部分の下部内面に、仕切壁８を横設して該仕切壁に、筒部外面から仕切壁内を通って仕切壁中央部上面へ開孔9aする第１弁孔９を、かつ該弁孔側方の仕切壁外周部分に仕切壁上下を連通する通水孔10を、それぞれ穿設し、
又上記仕切壁中央開孔9aの上部周縁を第１弁座11として該弁座上へ載置させた第１玉弁12で正立時用逆止弁13を形成し、かつ第１玉弁上方に適当間隙をおいて、筒部分内面ないし吸上げ筒２の下部内面に第１玉弁支持用突起４を付設し、
第２連結筒14は、筒部上端に内向きフランジ15を付設して該フランジのフランジ孔16を上記通水孔10と連通させると共に、その内向きフランジ下面を第２弁座17として、該第２弁座に接してフランジ孔16を密閉可能な第２玉弁18を筒上部内へ上下動可能に遊嵌させると共に、それ等第２玉弁18と第２弁座17とが形成する倒立時用逆止弁19開弁状態で、第２玉弁18を支持する第２玉弁支持用突起20を筒部内面へ付設した
ことを特徴とする正倒立両用液体噴出器。
【発明の詳細な説明】
【０００１】
【発明の属する技術分野】
本発明は正倒立両用の液体噴出容器に関する。
【０００２】
【従来の技術】
例えば実公昭56‐20052号が示すように、正倒立両用の液体噴出器が知られているが、従来のものは、シリンダ下端に三又状連結管の主管を嵌合させ、下方へ分岐して突出する補助管には正立時用の吸上げパイプ上端を、又上方へ分岐して突出する補助管には倒立時用吸上げパイプ下端を、それぞれ嵌合してそれ等両パイプを下方および上方へ突出し、又下方へ突出する補助管内には倒立時に管路を閉塞する逆止弁を、又上方へ突出する補助管内には正立時に管路を閉塞する逆止弁を、それぞれ設けるものであった。
従って正立時用と倒立時用との二本の吸上げ管は、前者がシリンダ下端から下方へ垂下するに対して後者は上方へ起立することとなり、これ等はシリンダに対して一体に連結することとなるため、容器体内へのシリンダ挿入および抜出しに際して不便となり、又容器体が透明であればそれ等吸上げ管が見えるため、外観を損う欠点があった。
【０００３】
【発明が解決しようとする課題】
本発明は、上記吸上げパイプを、液体噴出器から垂下する液体吸上げ筒と上記吸上げパイプとの間に、それぞれ逆止弁を有する第１連結筒と第２連結筒とを同軸に連結し介在させることで、外観上一本の吸上げパイプが垂下するよう設け、もって上記欠点を除去するものである。
【０００４】
【課題を解決するための手段】
容器体口頸部に装着させた、トリガー式ないし縦形ポンプ式の液体噴出器の下面から、該液体噴出器が有するシリンダと連通させて容器体内へ垂下する液体吸上げ筒２の下端部へ、第１連結筒５上部を、該第１連結筒下部内へ第２連結筒上部を、更に該第２連結筒14下部へ吸上げパイプ23上部を、それぞれ嵌合させて容器体内へ垂下させ、
第１連結筒５は、筒部６の下部を外向きフランジを介して大径筒部７とすると共に、外向きフランジ上方の筒部分の下部内面に、厚肉の仕切壁８を横設して該仕切壁に、筒部外面から仕切壁内を通って仕切壁中央部上面へ開孔9aする第１弁孔９を、かつ該弁孔側方の仕切壁外周部分に仕切壁上下を連通する通水孔10を、それぞれ穿設し、
又上記仕切壁中央開孔9aの上部周縁を第１弁座11として該弁座上へ載置させた第１玉弁12で正立時用逆止弁13を形成し、かつ第１玉弁上方に適当間隙をおいて、筒部分内面ないし吸上げ筒２の下部内面に第１玉弁支持用突起４を付設し、
第２連結筒14は、筒部上端に内向きフランジ15を付設して該フランジのフランジ孔16を上記通水孔10と連通させると共に、その内向きフランジ下面を第２弁座17として、該第２弁座に接してフランジ孔16を密閉可能な第２玉弁18を筒上部内へ上下動可能に遊嵌させると共に、それ等第２玉弁18と第２弁座17とが形成する倒立時用逆止弁19開弁状態で、第２玉弁18を支持する第２玉弁支持用突起20を筒部内面へ付設した。
【０００５】
【発明の実施の形態】
以下図面について説明すると、１はトリガー式の液体噴出器である。該液体噴出器は既述従来例のように縦形ポンプ式であってもよく、この場合はシリンダ下端から垂下させる吸上げパイプ嵌合用筒部が液体吸上げ筒を形成することとなる。図示のトリガー式液体噴出器の場合も、従来、吸上げパイプ嵌合用筒部として使用されている筒部を液体吸上げ筒２とする。図示の場合は、その筒下端部を下内方へ縮径し、かつ下端面開溝の複数割溝３を設け、それ等割溝間の筒壁部分内面に第１玉弁支持用突起４を付設しているが、これ等突起は、後述第１連結筒の上部内面へ付設してもよい。尚上記縮径は第１連結筒上部の嵌合を容易とするものである。
【０００６】
上記液体吸上げ筒２の下端部へ、第１連結筒５の上部を嵌合させる。該第１連結筒は、筒部６の下部を外向きフランジを介して大径筒部７とすると共に、外向きフランジ上方の筒部分下部内面に厚肉の仕切壁８を横設して、該仕切壁に、筒部外面から仕切壁８内を通って仕切壁中央部上面へ開孔9aする第１弁孔９を、かつ該弁孔側方の仕切壁外周部分へ通水孔10をそれぞれ穿設している。通水孔10は図３、図４が示すように仕切壁外周に沿って横断面Ｃ字形状としている。上記開孔9aの上部周縁は、下方小径のテーパ状として第１弁座11とし、該第１弁座上へ第１玉弁12を載置させて正立時用逆止弁13としている。第１玉弁12上方に既述第１玉弁支持用突起４が位置させてあり、図２が示すように、容器倒立時においては第１玉弁12が上記突起で支持される。
【０００７】
上記第１連結筒５の大径筒部７内へは、第２連結筒14の上部を嵌合させる。該第２連結筒は、筒部上端に内向きフランジ15を有し、そのフランジ孔16は通水孔10と連通させる。内向きフランジ15下面は上部小径のテーパ状として第２弁座17とし、図２が示すように容器体31倒立時において、第２弁座17に接してフランジ孔16が形成する弁孔を密閉可能な第２玉弁18を、筒上部内へ上下動可能に遊嵌させると共に、それ等第２玉弁18と第２弁座17とが形成する倒立時用逆止弁19開弁状態で、第２玉弁18を支持する第２玉弁支持用突起20を筒部21内面へ付設した。それ等突起間の筒壁内面部分には溝22を縦設している。尚上記突起20は、それ等突起と内向きフランジ15間へ、第２玉弁18を強制押込み可能に、弾性変形可能とする。
【０００８】
上記第２連結筒14の下部内には、吸上げパイプ23上部を嵌合させて、容器体内底部まで吸上げパイプを垂設する。
上記構成において、液体を容器体31内へ入れておき、図１が示す容器体正立状態で液体噴出操作を行うと、シリンダ内の負圧化で液体吸上げ筒２内が負圧化し、このとき第１玉弁12は第１弁座11上へ載置されて正立時用逆止弁13を閉塞しているため、又第２玉弁18は第２弁座17から離れて倒立時用逆止弁19を開弁しているから、吸上げパイプ23、第２連結筒14、第１連結筒５の通水孔10を通って容器体内液体は液体吸上げ筒２を介してシリンダ内へ吸込みされる。
【０００９】
図２が示すように容器体31を倒立させた状態では、吸上げパイプ下端は容器体内液面24上方へ露出するが、第１玉弁12が第１弁座11から離れて第１玉弁支持用突起４で支持され、又第２玉弁18は第２弁座17上へ載置されて倒立時用逆止弁19を閉塞するから、該状態で液体噴出操作を行うと、第１弁孔９を通って第１連結筒５内へ、更に液体吸上げ筒２を通ってシリンダ内へ容器体内液体が吸込みされる。
【００１０】
【発明の効果】
本発明は既述構成とするものであり、液体噴出器の下面から、該噴出器が有するシリンダと連通されて垂下する液体吸上げ筒２の下端部へ、第１連結筒５上部を、該第１連結筒下部内へ第２連結筒14上部を、更に該第２連結筒下部へ吸上げパイプ23上部を、それぞれ嵌合させて容器体内へ垂下させるから、それ等液体吸上げ筒と第１連結筒と第２連結筒と吸上げパイプとは、外観上一本の筒状となり、よって、液体補充等のために、液体噴出器と共にそれ等を容器体内から取出し、又それ等を再び容器体内へ垂設させることが容易であり、又上記第１連結筒５の下部内面に厚肉の仕切壁８を横設して該仕切壁に、筒部外面から仕切壁内を通って仕切壁中央部上面へ開孔9aする第１弁孔９を穿設したから、更に上記開孔9a上部周縁を第１弁座11としたから、その第１弁座上へ第１玉弁12を載置するだけで正立時用の逆止弁13、つまり容器正立時には閉塞され、かつ容器倒立時には開弁して、吸上げパイプ23よりも上方位置で容器体内と連通する第１弁孔９を有する弁を形成することが出来、上記仕切壁の第１弁孔９側方の仕切壁外周部分に、仕切壁上下を連通する通水孔10を穿設したから、第１連結筒５下部内へ倒立時用逆止弁19付きの第２連結筒14上部を連結し、又第２連結筒下部内から吸上げパイプ23を垂下して、それ等全体を一本の筒状で、しかも正倒立両用の液体噴出器用の液体吸上げ通路を形成することが出来る。
【図面の簡単な説明】
【図１】  正立状態で示す、要部を断面とした、液体噴出容器の側面図である。
【図２】  図１容器を倒立状態で示す、要部断面の側面図である。
【図３】  図２Ａ−Ａ線の端面図である。
【図４】  図２Ｂ−Ｂ線の端面図である。
【符号の説明】
２…液体吸上げ筒                ５…第１連結筒
13…正立時用逆止弁              14…第２連結筒
19…倒立時用逆止弁
【図１】
0003770431.tif 000002
【図２】
0003770431.tif 000003
【図３】
0003770431.tif 000004
【図４】
0003770431.tif 000005